(57)【要約】【課題】本発明は、ケーブル間の漏話減衰量を向上させた非シールドツイストペアケーブルを提供することを目的とするものである。【解決手段】本発明は、導体の周りを絶縁体で覆った単線を２本撚り合わせた撚り対線と、ケーブル内の漏話を抑えるために４本の前記撚り対線の間を仕切りとともに先端を伸ばし枝状に分岐させ外部シースと前記撚り対線の隙間を空けることによりケーブル間の漏話を抑えた十字介在と、前記十字介在の周りを覆った外部シースとからなる非シールドツイストペアケーブルの構成とした。【選択図】図１
2008097872.tif 000002
【特許請求の範囲】
【請求項１】
導体の周りを絶縁体で覆った単線を２本撚り合わせた撚り対線と、ケーブル内の漏話を抑えるために４本の前記撚り対線の間を仕切った十字介在と、４本の前記撚り対線の周りを押さえモジュラージャックに取付可能な内部シースと、前記内部シースの周りを覆い内周面に一定間隔ごとに複数の凸部を形成することにより空気層を設けケーブル間の漏話を抑えた凹凸型シースとからなり、高速伝送可能なことを特徴とする非シールドツイストペアケーブル。
【請求項２】
導体の周りを絶縁体で覆った単線を２本撚り合わせた撚り対線と、ケーブル内の漏話を抑えるために４本の前記撚り対線の間を仕切った十字介在と、４本の前記撚り対線の周りに螺旋状に巻いた紐と、前記紐の周りを覆い前記紐との間に生じた隙間によりケーブル間の漏話を抑えた外部シースとからなり、高速伝送可能なことを特徴とする非シールドツイストペアケーブル。
【請求項３】
導体の周りを絶縁体で覆った単線を２本撚り合わせた撚り対線と、ケーブル内の漏話を抑えるために４本の前記撚り対線の間を仕切るとともにケーブル間の漏話を抑えるために先端を伸ばし枝状に分岐させた枝状十字介在と、前記枝状十字介在の周りを覆った外部シースとからなり、高速伝送可能なことを特徴とする非シールドツイストペアケーブル。
【請求項４】
導体の周りを絶縁体で覆った単線を２本撚り合わせた撚り対線と、ケーブル内の漏話を抑えるために４本の前記撚り対線の間を仕切るとともにケーブル間の漏話を抑えるために先端を伸ばし枝状に分岐させた枝に突起を設けた枝状十字介在と、前記枝状十字介在の周りを覆った外部シースとからなり、高速伝送可能なことを特徴とする非シールドツイストペアケーブル。
【請求項５】
導体の周りを絶縁体で覆った単線を２本撚り合わせた撚り対線と、ケーブル内の漏話を抑えるために４本の前記撚り対線の間を仕切るとともにケーブル間の漏話を抑えるために先端を伸ばし扇形状に拡げた扇形十字介在と、前記扇形十字介在の周りを覆った外部シースとからなり、高速伝送可能なことを特徴とする非シールドツイストペアケーブル。
【発明の詳細な説明】
【技術分野】
【０００１】
本発明は、１０Ｇｂｐｓ伝送可能なＵＴＰ（非シールドツイストペア）ケーブルに関するものである。
【背景技術】
【０００２】
ＬＡＮ（ローカルエリアネットワーク）市場でのデータ伝送速度は、１０Ｍ（メガ＝１００万）ｂｐｓ、１００Ｍｂｐｓ、１Ｇ（ギガ＝１０億）ｂｐｓと推移しており、現在の主流は１００Ｍｂｐｓで、一部で１Ｇｂｐｓが使用されている。尚、「ｂｐｓ」は、データ伝送率を表す計算単位であり、１秒間に何ｂｉｔ伝送できるかを示す。
【０００３】
１Ｇｂｐｓ伝送が実現した現在、次の段階として１０Ｇｂｐｓ伝送の開発が進んでいるが、メタルケーブルでの１０Ｇｂｐｓ伝送は困難であり、光ファイバーケーブルを用いて実現している。
【０００４】
尚、メタルケーブルでは、漏話（ノイズ）を低減するために、全対の対撚ピッチを異なるようにし、対間に介在を設置したりするが、同一ケーブル内で可能な策であり、同じ構造のケーブルが隣りに敷設された場合には通用しない。ケーブル間で発生する漏話については、シースの厚さ分しか距離を確保できないため、ピッチを変えることはできない。
【０００５】
また、シースの内側にアルミニウム箔付きプラスチックテープなどのシールドを設けたケーブルであれば、シース外への漏話を避けることは可能であるが、価格が高くなる等の問題がある。
【０００６】
特許文献１に記載されているように、ケーブル製造時における捻れを防止して対撚り線心を隔壁部の間に固定し易くさせるとともに、柔軟性を向上させたＵＴＰケーブル用介在及びＵＴＰケーブルの発明も公開されている。
【特許文献１】特開２００４−３６２９０７号公報
【発明の開示】
【発明が解決しようとする課題】
【０００７】
しかしながら、特許文献１に記載の発明は、対撚り線心間に介在が挿入されているが、外被と対撚り線心との距離が確保されておらず、ケーブル間での漏話を抑えることはできず、１０Ｇｂｐｓ伝送は困難である。
【０００８】
そこで、本発明は、隣接するケーブル間の漏話減衰量特性を向上させることができる非シールドツイストペアケーブルを提供することを目的とするものである。
【課題を解決するための手段】
【０００９】
本発明は、上記の課題を解決するために、導体６ａの周りを絶縁体６ｂで覆った単線６を２本撚り合わせた撚り対線５と、ケーブル内の漏話を抑えるために４本の前記撚り対線５、５ａ、５ｂ、５ｃの間を仕切った十字介在４と、４本の前記撚り対線５、５ａ、５ｂ、５ｃの周りを押さえモジュラージャック３ａに取付可能な内部シース３と、前記内部シース３の周りを覆い内周面に一定間隔ごとに複数の凸部２ａを形成した凹凸型シース２とからなり、凹凸型シース２と撚り対線５の距離を確保し、ケーブル間の漏話を抑え、且つ凹凸型シース２を除きモジュラージャックを取り付けやすいことを特徴とする非シールドツイストペアケーブル１、並びに、導体６ａの周りを絶縁体６ｂで覆った単線６を２本撚り合わせた撚り対線５と、ケーブル内の漏話を抑えるために４本の前記撚り対線５、５ａ、５ｂ、５ｃの間を仕切った十字介在４と、４本の前記撚り対線５、５ａ、５ｂ、５ｃの周りに螺旋状に巻いた紐９と、前記紐９の周りを覆い前記紐９との間に生じた隙間２ｂによりケーブル間の漏話を抑えた外部シース８とからなり、１０Ｇｂｐｓ伝送可能なことを特徴とする非シールドツイストペアケーブル１ａ、並びに、導体６ａの周りを絶縁体６ｂで覆った単線６を２本撚り合わせた撚り対線５、５ａ、５ｂ、５ｃと、ケーブル内の漏話を抑えるために４本の前記撚り対線５、５ａ、５ｂ、５ｃの間を仕切りとともに先端を枝状に分岐させ前記撚り対線５、５ａ、５ｂ、５ｃの位置を固定することにより隙間２ｂを生じさせケーブル間の漏話を抑えた枝状十字介在１０と、前記枝状十字介在１０の周りを覆った外部シース８とからなり、高速伝送可能なことを特徴とする非シールドツイストペアケーブル１ｂの構成とした。
【発明の効果】
【００１０】
本発明は、以上の構成であるから以下の効果が得られる。第１に、外部シースの内側に凹凸を形成することにより、外部シースを剥ぎ取りやすくなり、内部シースに既存のモジュラプラグを取り付けることが容易になり、コストを抑えることができる。
【００１１】
また、外部シースとツイストペアとの間に内部シースを入れて、ツイストペアと外部シースの距離を離すことにより、同一ケーブルを隣接しても、安定した離隔距離を保つことができ、漏話を抑制させることができる。
【００１２】
第２に、十字介在の先端を伸ばし分岐させてツイストペアと外部シースの距離を離すことにより、ケーブル内のツイストペアと隣接するケーブルとの距離を保つことができ、隣接するケーブルからの漏話を減らすことができる。また、分岐点にノッチを設けることで、ツイストペアの位置をさらに固定することができ、安定した特性を確保することができる。
【発明を実施するための最良の形態】
【００１３】
本発明は、高速伝送可能な非シールドツイストペアケーブルを提供するという目的を、導体の周りを絶縁体で覆った単線を２本撚り合わせた撚り対線と、ケーブル内の漏話を抑えるために４本の前記撚り対線の間を仕切った十字介在と、４本の前記撚り対線の周りを押さえモジュラージャックに取付可能な内部シースと、前記内部シースの周りを覆い内周面に一定間隔ごとに複数の凸部を形成することにより空気層を設けケーブル間の漏話を抑えた凹凸型シースとからなり、モジュラージャックに容易に取り付けることができ、且つ高速伝送可能なことを特徴とする非シールドツイストペアケーブルとすることで実現した。
【実施例１】
【００１４】
以下に、添付図面に基づいて、本発明である非シールドツイストペアケーブルについて詳細に説明する。
【００１５】
図１は、本発明である非シールドツイストペアケーブルの実施例１であるケーブルの斜視図であり、図２は、本発明である非シールドツイストペアケーブルの実施例１であるケーブルの断面図であり、図３は、本発明である非シールドツイストペアケーブルの実施例１であるケーブルにモジュラージャックを取り付けた場合の斜視図である。
【００１６】
非シールドツイストペアケーブル１は、４本の撚り対線５、５ａ、５ｂ、５ｃ、十字介在４、内部シース３及び凹凸型シース２等からなり、モジュラージャック３ａに容易に取り付けることができ、且つ高速伝送することが可能なケーブルである。
【００１７】
撚り対線５、５ａ、５ｂ、５ｃは、２本の単線６、７を撚り合わせたものであり、図２の点線で示す範囲内で、単線６と単線７とが螺旋状に絡み合う。尚、表面に青、橙、緑、茶などの色を付して４本の対線を区別する。
【００１８】
単線６は、導体６ａ及び絶縁体６ｂからなり、導体６ａの周りをポリエチレン等の絶縁体６ｂで被覆したものである。また、単線７は、導体７ａ及び絶縁体７ｂからなり、導体７ａの周りをポリエチレン等の絶縁体７ｂで被覆したものである。
【００１９】
例えば、撚り対線５の色を青にする場合、単線６の絶縁体６ｂを白地に青色のライン６ｃとし、単線７の絶縁体７ｂを青色とする。尚、撚り対線５ａ、５ｂ、５ｃについても同様である。
【００２０】
十字介在４は、撚り対線５、５ａ、５ｂ、５ｃの間を仕切る十字型の部材である。撚り対線５、５ａ、５ｂ、５ｃそれぞれの間で一定以上の距離を確保することにより、ケーブル内の漏話を抑えることができる。
【００２１】
内部シース３は、４本の撚り対線５、５ａ、５ｂ、５ｃの全体を押さえるために、周りに被覆したものである。撚り対線５、５ａ、５ｂ、５ｃの位置が安定し、対が解れるのを防ぐこともできる。
【００２２】
凹凸型シース２は、内部シース３の周りを被覆するものである。内周面には一定間隔ごとに複数の凸部２ａが突出し、凹凸が形成される。内部シース３とは、凸部２ａにおいて接する。
【００２３】
凹凸型シース２の内周面、一の凸部２ａ、隣りの凸部２ａ、内部シース３の外周面で囲まれた隙間には、空気層２ｂが生じる。撚り対線５、５ａ、５ｂ、５ｃと、別のケーブルや湾曲させて接近したケーブルの撚り対線と距離を確保することができ、ケーブル間の漏話を抑えることができる。
【００２４】
凹凸型シース２は、発泡剤を混入してスポンジ状にすることにより、軽量化することができる。また、スポンジ状になった際の多数の孔は空気層となり、誘電率を抑制することができる。
【００２５】
凹凸型シース２によりケーブルの直径は大きくなるが、凹凸型シース２を剥ぎ取れば、内部シース３に既存のモジュラージャック３ａを取り付けることも可能であり、効率的である。
【００２６】
非シールドツイストペアケーブル１は、ケーブル内の漏話及びケーブル間の漏話を防止することのできる構造であり、情報送受信速度が１０Ｇｂｐｓの場合でも支障なく通信することが可能である。
【実施例２】
【００２７】
図４は、本発明である非シールドツイストペアケーブルの実施例２であるケーブルの断面図である。
【００２８】
非シールドツイストペアケーブル１ａは、４本の撚り対線５、５ａ、５ｂ、５ｃ、十字介在４、紐９及び外部シース８等からなり、１０Ｇｂｐｓで伝送することが可能なケーブルである。尚、撚り対線５、５ａ、５ｂ、５ｃ、及び十字介在４は、非シールドツイストペアケーブル１と同様である。
【００２９】
紐９は、４本の撚り対線５、５ａ、５ｂ、５ｃの全体を押さえるために、周りにポリエチレン製のひも２本で螺旋状に巻いたものである。撚り対線５、５ａ、５ｂ、５ｃの位置が安定し、対が解れるのを防ぐこともできる。
【００３０】
外部シース８は、紐９の周りを被覆するものである。巻かれた紐９と紐９との間に生じた隙間が生じる。撚り対線５、５ａ、５ｂ、５ｃと、別のケーブルや湾曲させて接近したケーブルの撚り対線と距離を確保することができ、ケーブル間の漏話を抑えることができる。
【００３１】
非シールドツイストペアケーブル１ａも、ケーブル内の漏話及びケーブル間の漏話を防止することのできる構造であり、情報送受信速度が１０Ｇｂｐｓの場合でも支障なく通信することが可能である。
【実施例３】
【００３２】
図５は、本発明である非シールドツイストペアケーブルの実施例３であるケーブルの断面図である。
【００３３】
非シールドツイストペアケーブル１ｂは、４本の撚り対線５、５ａ、５ｂ、５ｃ、枝状十字介在１０及び外部シース８等からなり、高速伝送することが可能なケーブルである。尚、撚り対線５、５ａ、５ｂ、５ｃ、及び外部シース８は、非シールドツイストペアケーブル１ａと同様である。
【００３４】
枝状十字介在１０は、十字介在の先端を伸ばし斜め２方向に分岐させ、枝１０ａを形成する。分岐した枝１０ａ同士は、ほぼ直角であり、撚り対線５、５ａ、５ｂ、５ｃを挟み込む枝１０ａ同士は、ほぼ平行である。枝１０ａで囲むことにより、撚り対線５、５ａ、５ｂ、５ｃと外部シース８との間隔を空けることができる。
【００３５】
撚り対線５、５ａ、５ｂ、５ｃと外部シース８との間隔により、撚り対線５、５ａ、５ｂ、５ｃと、別のケーブルや湾曲させて接近したケーブルの撚り対線と距離を確保することができ、ケーブル間の漏話を抑えることができる。
【００３６】
非シールドツイストペアケーブル１ｂも、ケーブル内の漏話及びケーブル間の漏話を防止することのできる構造であり、情報送受信速度が１０Ｇｂｐｓの場合でも支障なく通信することが可能である。
【実施例４】
【００３７】
図６は、本発明である非シールドツイストペアケーブルの実施例４であるケーブルの断面図であり、図７は、本発明である非シールドツイストペアケーブルの実施例３であるケーブルに使用する十字介在の斜視図である。
【００３８】
非シールドツイストペアケーブル１ｃは、４本の撚り対線５、５ａ、５ｂ、５ｃ、枝状十字介在１０及び外部シース８等からなり、高速伝送することが可能なケーブルである。尚、撚り対線５、５ａ、５ｂ、５ｃ、及び外部シース８は、非シールドツイストペアケーブル１ａと同様である。
【００３９】
枝状十字介在１０は、十字介在の先端を伸ばし斜め２方向に分岐させ、枝１０ａを形成する。枝１０ａについては、外側上部に突起１０ｂを突出させ、撚り対線５、５ａ、５ｂ、５ｃを収めた際に、上側を押さえられるようにしても良い。
【００４０】
分岐した枝１０ａ同士は、ほぼ直角であり、撚り対線５、５ａ、５ｂ、５ｃを挟み込む枝１０ａ同士は、ほぼ平行である。枝１０ａで囲むことにより、撚り対線５、５ａ、５ｂ、５ｃと外部シース８との間隔を空けることができる。
【００４１】
撚り対線５、５ａ、５ｂ、５ｃを突起１０ｂで押さえた外側の隙間に空気層２ｂが生じる。撚り対線５、５ａ、５ｂ、５ｃと、別のケーブルや湾曲させて接近したケーブルの撚り対線と距離を確保することができ、ケーブル間の漏話を抑えることができる。
【００４２】
非シールドツイストペアケーブル１ｃも、ケーブル内の漏話及びケーブル間の漏話を防止することのできる構造であり、情報送受信速度が１０Ｇｂｐｓの場合でも支障なく通信することが可能である。
【実施例５】
【００４３】
図８は、本発明である非シールドツイストペアケーブルの実施例５であるケーブルの断面図である。
【００４４】
非シールドツイストペアケーブル１ｄは、４本の撚り対線５、５ａ、５ｂ、５ｃ、扇形十字介在１１及び外部シース８等からなり、高速伝送することが可能なケーブルである。尚、撚り対線５、５ａ、５ｂ、５ｃ、及び外部シース８は、非シールドツイストペアケーブル１ａと同様である。
【００４５】
扇形十字介在１１は、十字介在の先端１１ａを伸ばし先端１１ａを扇形状に拡げる。扇形の辺には、外側上部に突起を突出させ、撚り対線５、５ａ、５ｂ、５ｃを収めた際に、上側を押さえられるようにしても良い。
【００４６】
扇形の角度は、ほぼ直角であり、撚り対線５、５ａ、５ｂ、５ｃを挟み込む一の扇形と隣りの扇形の辺同士は、ほぼ平行である。扇形で囲むことにより、撚り対線５、５ａ、５ｂ、５ｃと外部シース８との間隔を空けることができる。
【００４７】
撚り対線５、５ａ、５ｂ、５ｃと外部シース８との間隔により、撚り対線５、５ａ、５ｂ、５ｃと、別のケーブルや湾曲させて接近したケーブルの撚り対線と距離を確保することができ、ケーブル間の漏話を抑えることができる。
【００４８】
非シールドツイストペアケーブル１ｄも、ケーブル内の漏話及びケーブル間の漏話を防止することのできる構造であり、情報送受信速度が１０Ｇｂｐｓの場合でも支障なく通信することが可能である。
【００４９】
以上のように、本発明である非シールドツイストペアケーブルは、外部シースの内側に凹凸を形成し、外部シースとツイストペアとの間に内部シースを入れて、空気層を増やすことにより、同一ケーブルを隣接しても、安定した離隔距離を保つことができ、伝送の減衰量を抑制することができる。
【００５０】
また、外部シースを剥ぎ取れば、内部シースに既存のモジュラプラグを取り付けることが可能であり、コストを抑えることができる。
【００５１】
更に、十字介在の先端を伸ばし分岐させてツイストペアとシースの間隔を空けることで、ケーブル内のツイストペアと隣接するケーブルとの距離が離れ、隣接するケーブルからの電気的影響を減らすことができる。
【図面の簡単な説明】
【００５２】
【図１】本発明である非シールドツイストペアケーブルの実施例１であるケーブルの斜視図である。
【図２】本発明である非シールドツイストペアケーブルの実施例１であるケーブルの断面図である。
【図３】本発明である非シールドツイストペアケーブルの実施例１であるケーブルにモジュラージャックを取り付けた場合の斜視図である。
【図４】本発明である非シールドツイストペアケーブルの実施例２であるケーブルの断面図である。
【図５】本発明である非シールドツイストペアケーブルの実施例３であるケーブルの断面図である。
【図６】本発明である非シールドツイストペアケーブルの実施例４であるケーブルの断面図である。
【図７】本発明である非シールドツイストペアケーブルの実施例４であるケーブルに使用する十字介在の斜視図である。
【図８】本発明である非シールドツイストペアケーブルの実施例５であるケーブルの断面図である。
【符号の説明】
【００５３】
１        非シールドツイストペアケーブル
１ａ      非シールドツイストペアケーブル
１ｂ      非シールドツイストペアケーブル
１ｃ      非シールドツイストペアケーブル
１ｄ      非シールドツイストペアケーブル
２        凹凸型シース
２ａ      凸部
２ｂ      空気層
３        内部シース
３ａ      モジュラージャック
４        十字介在
５        撚り対線
５ａ      撚り対線
５ｂ      撚り対線
５ｃ      撚り対線
６        単線
６ａ      導体
６ｂ      絶縁体
６ｃ      ライン
７        単線
７ａ      導体
７ｂ      絶縁体
８        外部シース
９        紐
１０        枝状十字介在
１０ａ      枝
１０ｂ      突起
１１        扇形十字介在
１１ａ      先端
【図１】
2008097872.tif 000003
【図２】
2008097872.tif 000004
【図３】
2008097872.tif 000005
【図４】
2008097872.tif 000006
【図５】
2008097872.tif 000007
【図６】
2008097872.tif 000008
【図７】
2008097872.tif 000009
【図８】
2008097872.tif 000010